(57)【要約】【課題】電動トイにおいて、梱包箱の一部に透明シートを用いて内部の商品を外部から透視できるものはあったが、搬送中の商品破損、乾電池や機械的寿命短縮等の観点から、梱包されたままで内部商品の動きを目視することはできなかった。【解決手段】梱包体の透明シート部を通して受光したソーラーセル６により駆動される揺動側２１を回動自在に支持するトイ本体側２と、その本体側２を本体側下部または底部に着脱可能に嵌め合わせされた基台４と、そのトイ本体側２が装着された基台４をケース底部に固定する梱包体である透明ケース１とから構成される。【選択図】　図１
2004089350.tif 000002
【特許請求の範囲】
【請求項１】
トイ揺動側の一部に固着した永久磁石に対向して本体側に空芯コイルを配置し、ソーラーセルから電子回路を経て接続された空芯コイルと前記永久磁石との電磁力でトイ揺動側を励振させてなるソーラートイにおいて、
前記トイ本体側下部に少なくとも左右２箇所の水平溝部を設け、この水平溝部に取り外し可能な基台を嵌め込むことにより、前記トイ本体側を基台に固定し、その基台を透明ケース底部に支持固定すると共に、ケース透明部を通して受光したソーラーセルの発電電力により作動するトイ揺動側の自由な揺動のための空間を有する透明ケースにより梱包構成されてなることを特徴とする透明ケース付きソーラートイ。
【請求項２】
前記基台は、折り曲げ重畳されてその間に隙間が形成された上・下シートから構成され、その上シートの前端から後方に向かって本体側係止用切欠き部が形成され、上シート切欠き部両側を本体側下部に設けられた少なくとも２か所の水平溝部にスライド挿入して、前記上・下シート間に本体側底部を覆いながらトイ本体側を係止する構成の請求項１記載の透明ケース付きソーラートイ。
【請求項３】
前記透明ケースを印刷ボール紙と透明シートからなる複合材料から構成した請求項１記載の透明ケース付きソーラートイ。
【請求項４】
前記基台から押し折り曲げ部を介して、６面体ケースとして他の５面を連結形成させ、基台の底面以外の任意面に透明シートによる透視可能領域を設けた請求項１記載の透明ケース付きソーラートイ。
【請求項５】
前記透明ケースを透明プラスチックシートの真空成形加工品により形成した請求項１記載の透明ケース付きソーラートイ。
【発明の詳細な説明】
【０００１】
【発明の属する技術分野】
本発明は、ソーラーセルにより駆動される人形等のトイ（玩具）を梱包用の透明ケース内に固定したままでも揺動することが可能な透明ケース付きソーラートイに関する。
【０００２】
【従来の技術】
従来、電動トイの梱包用として透明ケースはあったが、搬送等の際に内部商品が破損しないようにとの製品保護上の観点から、また、電池の消耗や、モーターや歯車等の摩耗によるトイの寿命低下の問題があるために、梱包されたままでトイが自動的に動くものはなく、従って梱包状態ではトイの動く状態を確認することはできなかった。
【０００３】
即ち、従来の電動トイでは、駆動用乾電池の漏液や自然放電による消耗および重い乾電池の慣性衝撃等によるトイの破損防止の観点から、たとえ透明ケースであっても、ケース内でトイを作動状態にしておくことは出来なかった。従って、販売店舗等で電動トイを販売する時には、梱包ケースからトイを取り出し、あらためて乾電池をトイにセットしなければならなかった。即ち、顧客に確認のためトイの作動をテストして見せて、当該商品が不良品でないことを示した後でなければ、販売することが困難でそのために手間がかかった。
【０００４】
【発明が解決しようとする課題】
そこで、本発明は上記のような従来の不都合を解消したものであって、透明ケース付きソーラートイにおいて、下部でトイ本体側を取り外し可能に基台に固定し、梱包したままでトイ揺動側としての人形の顔や手などをトイ本体に設けた軸受穴で回動自在に支持させ、店舗内の電灯の光によってソーラーセルを用いて揺動側を動かし続けられるようにし、梱包を開いて乾電池等をあらたにセットすることなしに梱包したままでその動きを確認して見せることができることを目的とする。
【０００５】
さらに、本発明によれば、トイの駆動電源としてソーラーセルを用いて、店舗内の光をエネルギ源にしているので、電池の消耗を気にせずにトイの作動状態を常時維持させておくことができ、その結果、可愛いマスコット等のソーラートイが店舗内で活き活きと動くことで、実演販売を可能とする。即ち、開店中は電灯の光により当該商品は常時作動状態にあるので、他のトイと比較して極めて需要者の目をひき、差別化がはっきりと現れて販売促進効果が高く売上を増すことができる透明ケース付きソーラートイを提供することを目的とする。
【０００６】
またさらに、本発明によれば店頭で展示販売していても、梱包したままトイの動きを見ることができるので、商品をいたずらされて破損されることもなく、埃等がトイ自体に付着することもなく、販売側および顧客側双方が安心して販売および購入することができる透明ケース付きソーラートイを提供することを目的とする。
【０００７】
さらにまた、本発明によれば、そのメーカーから販売店までの流通の過程で電池等の挿入の手間を不要とする結果、商品の作動テスト時間を大幅になくし、商品に対する信頼性をいち早く確認することができ、各流通業者の確認手数を減少させることによって人件費を低減してコストを安くすることができる透明ケース付きソーラートイを提供することを目的とする。
【０００８】
【課題を解決するための手段】
上記目的を達成するために、本発明によれば、トイ本体側に回動自在に軸支された揺動側を、その本体側に用意したソーラーセル発電電力利用で揺動させるソーラートイにおいて、その本体側を基台と嵌め合いにより、着脱自在に透明シート部のある梱包体の底部に固定すると共に、梱包体の透明シート部を通して、前記ソーラーセルに室内の光が当たるようにして、その光エネルギーで揺動側を揺動させ、前記透明シートにより、揺動するソーラートイの姿を透視させるようにした透明シート部のある梱包体、即ち透明ケースで梱包された透明ケース付きソーラートイが得られる。
【０００９】
また、本発明によれば、トイ揺動側の一部に固着した永久磁石に対向して本体側に空芯コイルを配置し、ソーラーセルから電子回路を経て接続された空芯コイルと永久磁石との電磁力でトイ揺動側を励振させてなるソーラートイにおいて、トイ本体側下部に少なくとも左右２か所の水平溝部を設け、この水平溝部に取り外し可能な基台を嵌め込むことにより、トイ本体側を基台に固定し、その基台を透明ケース底部に支持固定すると共に、ケース透明部を通して受光したソーラートイの発電電力により作動するトイ揺動側の自由な揺動のための空間を有する透明ケースにより梱包構成されてなる透明ケース付きソーラートイが得られる。
【００１０】
またさらに、本発明によれば、前記基台は折り曲げ重畳されてその間に隙間が形成された上・下シートから構成され、その上シートの前端から後方に向かって本体側の係止用切欠き部が形成され、上シート切欠き部両側を本体側下部に設けられた少なくとも２か所の水平溝部にスライド挿入して、上・下シート間に本体側底部を覆いながらトイ本体側を係止する構成の透明ケース付きソーラートイが得られる。
【００１１】
またさらに、本発明によれば、前記透明ケースを印刷ボール紙と透明シートからなる複合材料から構成した透明ケース付きソーラートイが得られる。
【００１２】
さらに、本発明によれば、前記基台から、折り曲げ部を介して、６面体ケースとして他の５面を連結形成させ、基台の底面以外の任意面に透明シートによる透視可能領域を設けた透明ケース付きソーラートイが得られる。
【００１３】
またさらに、本発明によれば、前記透明ケースを透明プラスチックシートの真空成形加工品から形成してなる透明ケース付きソーラートイが得られる。
【００１４】
【発明の実施の形態】
以下、添付図面を用いて本発明の実施の形態について詳述する。図１は、本発明の実施の形態１による透明ケース付きソーラートイを示す縦断面図であり、図２は図１のＡ−Ａ線に沿った縦断面図である。図において、塩化ビニルまたはＰＥＴ樹脂等のプラスチックの透明ケース１（図３）内には張り子構造の招き猫に形成されたトイ本体２が収納・固定されている。
【００１５】
より詳しく述べると、このトイ本体２は、座布団の形状をしたプラスチックの載置台３上にねじ３１で固定されている。なお、透明ケース１の形状は、図３に示すような構造である。即ち、正面壁１１にそれぞれ連結された左右側面壁１２、１３及び天面壁１４並びに右側面壁１３の後端縁に連結されて開閉可能な扉機能を有する背面壁１５とを有している。なお、透明ケース１の底部は後述する基台４が配されるので開放されている。
【００１６】
そして、正面壁１１と左右側面壁１２、１３とは下端縁に直角に折り曲げられると底面に位置する折曲片１１１、１２１、１３１をそれぞれ有している。なお、折曲片１１１は、円弧状であり、折曲片１２１、１３１は扁平の台形形状である。また、さらに天面壁１４の前端縁は折り曲げられて背面に位置する折曲片１４１を備え、扉機能の背面壁１５は折り曲げられて底面に位置する２つの半円形状の折曲片１５１が互いに離間して設けられている。
【００１７】
さらに、上記座布団形状の載置台３の底部にはアルミ板５がねじ３２によって取り付けられて水平溝部が形成されている。図５に示すように、この基台４は、１枚のボール紙、段ボール等の厚紙を折り返して二重の構造、即ち上・下シート４１、４２とされている。そして、上シート４１の底面は前方から後方に切りかかれて切欠き部４１１が形成され、この切欠き部４１１の前端両側の折り曲げ部分が側方に向かってスリット４１２が形成されている。さらに、基台４の背部の直立壁４３の下端には透明ケース１の背面壁１５の折曲片１５１がそれぞれ差し込まれるための窓穴４３１が２箇所形成されている。
【００１８】
なお、上・下シート４１、４２間にはアルミ板５がトイ本体２を基台４に係止するための係止手段として挿入されており、基台４の上下シート４１、４２間に形成された隙間内に配されて固定されている。なお当然のことながら、上記基台４の切欠き部４１１はアルミ板５の山部５２が挿入される幅が必要であり、かつ基台４の前端のスリット４１２はアルミ板５が挿入されるに十分な寸法でなければならない。
【００１９】
また、アルミ板５の形状は、図４に示すように一枚のアルミシートの両側を係止用のフィン５１とし、それらの中間に山部５２を形成し、この山部５２には複数のねじ穴５３が穿設されている。なお、これらのねじ穴５３はアルミ板５を載置台３にねじ３２で螺着するためのものである。そして、このアルミ板５は、トイ本体２が基台４の前方から挿入されて、取り付けられて固定されるものである。
【００２０】
即ち、その取り付け方法は、基台４の正面方向から、基台４の上下シート４１、４２間の隙間にトイ本体２の底部をスライドさせて、アルミ板５のフィン５１を基台４のスリット４１２に合わせて、その山部５２を基台４の切欠き部４１１に挿入するように押し込み固定する。なお、基台４から取り出す時には、逆にトイ本体側（本体２に付属するものの総称）を前方向にスライドさせ、基台４の切欠き部４１１とスリット４１２とを利用して容易に取り出すことができる。
【００２１】
さらに、トイ本体２である張り子構造の招き猫について詳細に説明すると、この招き猫の左手である揺動部２１は、駆動電源のソーラーセル６によって前後に揺動するように構成されている。即ち、トイ本体２の内部には軸受穴２２が形成されており、この軸受穴２２には矢示のように前後に揺動する揺動部（猫の左手）２１と連結された振子軸２３が水平方向に回動自在に軸架されている。そして、この振子軸２３は下方に向けて振子アーム２４が延出している。そして、この振子アーム２４の下部取付部は底部に永久磁石２６が固設された鉄板２５に接続されている。揺動部２１としての猫の手に付属するものの総称を揺動側と表現する。なお、この永久磁石２６に対向・離間してトイ本体２の底部には空芯コイル２７が固設されている。
【００２２】
また、この空芯コイル２７は、図７に示すような回路のプリント基板２８に接続されており、このプリント基板２８の入力端子にはソーラーセル６の端子が接続されている。揺動部２１として手に付属するものの総称を揺動側と表現する
。なお、このプリント基板２８の回路はＰＮＰ型トランジスタとＮＰＮ型トランジスタとを用いた公知のものである。
【００２３】
ところで図２から明らかなとおり、トイ本体２の載置台３の端部上には外部光を受光するように４つのセルからなるソーラーセル６が載置されている。従って、上述したように梱包ケースが透明ケース１で形成されているので、梱包した状態でも外部光を受光して、起電力によってトイ本体２の招き猫の左手である揺動部２１を揺動せしめることができる。
【００２４】
なお、本発明のソーラートイは、トイ本体２の底部にアルミ板５と載置台３とをそれぞれねじ３１、３２で螺着してトイ本体側を形成している。これらトイ本体側の底部を基台４にスライドさせて押し込み、その後、これらアセンブリを透明ケース１の後方からスライドさせてケース１内に収納する。この際、透明ケース１の前面壁および左右側面壁の折曲片１１１、１２１、１３１がトイ本体２の底部の基板４の間の隙間にそれぞれ挿入・固定される。
【００２５】
そして、最後に透明ケース１の背面下端縁に形成された２つの半円形折曲片１５１が基板４の背部に形成された窓穴４３１にそれぞれ挿入すると共に、背面壁１５の側端に縦方向に形成された扉片１５２を左側面壁１２の内側に挿入して組立てることができる。なお、必要に応じて透明ケース１の背面壁１５と左側面壁１２とを接着テープ（図示せず）等で貼着すれば良い。
【００２６】
以下、上記発明の実施の形態によるソーラートイについて、その動作を説明する。まず、基台４の上下シート４１、４２に形成された隙間内に載置台３の下部に取り付けられたアルミ板５（図４）を差し込んで押し込みトイ本体２を固定することで、本体側を形成している透明ケース１の折曲片１１１、１２１、１３１をそれぞれ内方に折り曲げて底支持部とし、これらの上に後方から基台４の直立壁４３を背面として前面壁１１に当接するまで透明ケース１内に押し込んで収納する。
【００２７】
その後、透明ケース１の後扉である背面壁１５を閉じてその折曲片１５１を左側面壁１２内に挿入して透明ケース１を閉じることによって梱包することができる。即ち、透明ケース１の背面壁１５の扉を閉め、必要に応じて接着テープで止めることによって、容易かつ確実に梱包することができる。
【００２８】
なお、このように梱包した状態においても外部から光を受光すると、載置台３上に載置されたソーラーセル６に起電力が生じ、回路基板２８を介して空芯コイル２７が導通される。すると、この空芯コイル２７に対向した永久磁石２６が磁界に作用されて揺動し、この動きが振子アーム２４を介して軸受穴２２に回動自在に軸架された振子軸２３に伝達される。
【００２９】
なお、図６に示すように、軸受穴２２に当接する振子軸２３の下部は、揺動し易いようにナイフエッジのように鋭利なエッジ２３１に形成されている。即ち、ソーラーセル６によって振子アーム２４が回動すると、この振子アーム２４と一体の振子軸２３が回動せしめられ、この回動に伴って招き猫の左手である揺動部２１が前後に揺動する。
【００３０】
次に、図８〜図１２は、本発明の実施の形態２によるソーラートイであって、この例では、いわゆる箱折加工品である透明ケース１は正面、左右側面、天面がそれぞれ透明壁から構成されており、背面及び底面が開放されている。そして、トイ本体２は張り子構造の熊の人形であって、首から上の部分が矢印方向（左右）に揺動する揺動部２１となっている。即ち、トイ本体２の首内部に固定された振子軸２３に連結された振子アーム２４が左右方向に回動自在に胴体に穿設されている軸受穴２２に軸架されている。
【００３１】
この場合、トイ本体２の載置台３はプラスチックの一体成形品であって中空内部に空芯コイル２７及び永久磁石２６を格納している。そして、載置台３の本体から下方に接続部３３が延出し、接続部３３下端から側方にひれ形状のフィン（係止手段）３４が突出している。その結果、台状の底面左右後側に内に水平溝３５が形成される。なお、この実施の形態２によるソーラートイによっても実施の形態１と同様の動作を得るものである。
【００３２】
この場合、基台４の背面の直立壁４３の高さを十分に取り、この直立壁４３の前面に告知表示、例えば「ぼくソーラートイのくま吉です」となすことができる。そして、この場合にも基台４に固定されたトイ本体２を最後に入れることによって、容易かつ確実に梱包することができる。
【００３３】
即ち、基台４の底部に位置する下シート４２を、幅方向に形成されたミシン目に沿って折り返す。この場合、予め背部に位置するシートの上端部近傍に細い係止穴３６を形成しておけば、透明ケース１の天面壁１４に形成された折り返し折曲片１４１の係止突起１４２をこの係止穴３６に差し込んで梱包を完了することができる。なお、図に示すように基台４の前端面のスリット４１２にトイ本体側の載置台３の下部に設けられたフィン３４が挿入係止される。
【００３４】
次に、本発明の実施の形態３について、図１３〜図１６により説明する。
この場合、図１３で示したように前記した熊の人形の顔が左右に振るソーラートイとほぼ同じ形態であるが、トイ本体側の底の形状が図１４に見られるように、３か所に分散して左右に水平溝部３５を持つ接続部（係止ブロック）３３が設けられている。これら接続部３３と嵌め合わされる基台４ａと透明プラスチック製の真空成形梱包用透明ケース１との相対関係図を、図１５に示している。そして、図１６で示しているように梱包する手順としては、トイ本体側の３か所の接続部３３を基台４の３か所の穴に挿し込んだ後、後方にスライドさせ、トイ本体側を基台４に固定する。
【００３５】
この基台４の３か所の穴が形成された上シート４１を前側で折り、その下面に重畳して下シート４２とし、トイ本体側の接続部３３の下面を覆わせ、商品を保護している。次に、真空成形梱包材用透明ケース１の上からかぶせ、基台４に載置し、真空成形梱包用材透明ケース１のフランジ状縁と基台４とをホチキス等で止める構成になっている。
【００３６】
次に、本発明の実施の形態３について、図１７〜図１９により説明する。この場合、図１７で示したように前記した熊の人形の顔が左右に振るソーラートイとほぼ同じ形態であるが、トイ本体側の円筒載置台３の下部周辺に、基台４の挿入される水平溝部３３が設けられている。図１８で示すように基台４の左右は上に折り曲げられ、ボール紙ケース７の天井内面までに達し、ソーラートイを押し止めている。この場合、基台４は本体側の円筒形載置台３の底面を覆っていないが、ケース１の正面と左右壁面の一部を透明シートで代替えしたボール紙ケース７の底面がその載置台３の底面を覆って商品を保護している。
【００３７】
本発明は、基台とトイ本体側との着脱が容易で、トイ購入者が開梱する時に手間がかからず、しかも基台の反対側保持機能に加えて、透明ケースとの連系係止機能により、本体側をぐらつかせずにケース内に固定することができる。
この基台と透明ケースとの連係方法については、その形態は種々あり、本発明のトイ本体側を梱包側に容易に着脱できる特徴が主体発明であり、基台と透明ケースとの連係構成について本体側をケース内に固定する目的を達成するものであれば、前記本発明の実施の形態にこだわらずに実施できる。例えば、特に強度のある段ボールで部分的透明シート壁面を持つケースの場合、基台の役割をケース底面に折り曲げられる段ボール片で代用することもできる。
【００３８】
【発明の効果】
本発明は、上記した通りの構成であるので、透明ケース付きソーラートイの駆動電源としてソーラーセルを用いたから、店内の光を常時エネルギ源に利用できるので、電池の消耗を気にせずに作動状態を維持させておくことができる効果がある。そのため、可愛いマスコット等のソーラートイが店内で活き活きと動くことで、店頭で実演販売ができ、他の玩具との差別化がはっきりと現れる。
【００３９】
また展示販売していても、梱包したままで展示できるので商品をいたずらされることもなく、トイ本体に埃が付着することもなく、販売側、顧客側双方が安心して販売、購入することができる効果もある。
【００４０】
さらに、本発明を使ったソーラートイは、その生産者から、流通の過程で電池挿入等の手間が不要であるから作動検査時間を著しく短縮し、各流通業者の確認手数を削減することができ、コストを低減できる効果もある。またさらに、揺動部の起動がスムーズな軸受部を備えたソーラートイが得られる効果もある。
【図面の簡単な説明】
【図１】本発明の実施の形態１による透明ケース付きソーラートイの縦断面図である。
【図２】図１のＡ−Ａ線に沿った縦断面図である。
【図３】図１に用いられた梱包用の透明ケースの斜視図である。
【図４】図１に用いられたアルミ板の斜視図である。
【図５】図１に用いられた基台の斜視図である。
【図６】図１のＢ−Ｂ線に沿う部分端面図である。
【図７】図１のソーラートイに用いられる回路図である。
【図８】本発明の実施の形態２による透明ケース付きソーラートイの斜視図である。
【図９】図８に用いられた基台の斜視図である。
【図１０】図８に用いられたトイ本体側の正面図である。
【図１１】図８に用いられたトイ本体側の底面図である。
【図１２】図８のソーラートイを示す分解斜視図である。
【図１３】本発明の実施の形態３によるトイ本体側の斜視図である。
【図１４】図１３の本体側下部の水平溝部を示す斜視図である。
【図１５】図１３のトイ本体側を用いた透明ケース付きソーラートイを示す分解斜視図である。
【図１６】図１５の各部品を組み立てたソーラートイとした正面図である。
【図１７】本発明の実施の形態４による透明ケース付きソーラートイの斜視図である。
【図１８】図１７のソーラートイの正面図である。
【図１９】図１７のソーラートイの分解斜視図である。
【符号の説明】
１　　　透明ケース
１１　　正面壁
１１１　折曲片
１２　　左側面壁
１２１　折曲片
１３　　右側面壁
１３１　折曲片
１４　　天面壁
１４１　折曲片
１４２　係止突起
１５　　背面壁
１５１　折曲片
１５２　扉片
２　　　トイ本体
２１　　揺動部
２２　　軸受穴
２３　　振子軸
２３１　エッジ
２４　　振子アーム
２５　　鉄板
２６　　永久磁石
２７　　空芯コイル
２８　　回路基板
３　　　載置台
３１、３２　ねじ
３３　　接続部
３４　　フィン（係止手段）
３５　　水平溝部
３６　　係止穴
４　　　基台
４１　　上シート
４１１　切欠部
４１２　スリット
４２　　下シート
４３　　直立壁
４３１　窓穴
５　　　アルミ板
５１　　フィン（係止手段）
５２　　山部
５３　　ねじ穴
６　　　ソーラーセル
７　　　ボール紙ケース
【図１】
2004089350.tif 000003
【図２】
2004089350.tif 000004
【図３】
2004089350.tif 000005
【図４】
2004089350.tif 000006
【図５】
2004089350.tif 000007
【図６】
2004089350.tif 000008
【図７】
2004089350.tif 000009
【図８】
2004089350.tif 000010
【図９】
2004089350.tif 000011
【図１０】
2004089350.tif 000012
【図１１】
2004089350.tif 000013
【図１２】
2004089350.tif 000014
【図１３】
2004089350.tif 000015
【図１４】
2004089350.tif 000016
【図１５】
2004089350.tif 000017
【図１６】
2004089350.tif 000018
【図１７】
2004089350.tif 000019
【図１８】
2004089350.tif 000020
【図１９】
2004089350.tif 000021